(57)【特許請求の範囲】
【請求項１】
立設する複数枚のガラス板を上下左右に並設し、該ガラス板のコーナー突合わせ部を両面より支持金具によって締付支持する支持構造において、並設した面ガラスの垂直目地部の室内側に立設した構造支柱に設けた突設部材によって、ガラス板のコーナー部に設けた支持金具を支持固定し、前記構造支柱に固着した取付部材に軸支した連結部材によって、面ガラスの水平方向目地に沿って両方向に面ガラスと略同一幅に設けたリブガラス板を位置調整自在に連結支持し、該リブガラス板の反構造支柱側の先端部に軸支し、該先端部に近接する面ガラス用の支持金具間を連結する支持桿と、前記リブガラスの上下位置にある各先端部同士を連結するバランスロッドと、該バランスロッドと面ガラス間に配置され上下位置関係にある支持金具同士を夫々吊下ロッドにて連結固定し、前記バランスロッドと吊下ロッドを上部及び下部のフレームによって支持固定したことを特徴とするガラス板の支持構造。
【請求項２】
前記並設したガラス板のコーナー部の十字状目地部を支持する支持構造が、目地幅より幅広の前面板材と裏面板材によってガラス板の両面より緩衝材を介して挟持し、目地に挿入したボルトとナットの螺合によって両板材を締付固定させたことを特徴とする請求項１記載のガラス板の支持構造。
【請求項３】
請求項２の前面板材が目地幅より幅広で、該前面板材の目地側の面に雌ねじ部を有する突起部を有し、裏面板材に設けた穿孔部より挿入したボルトを前面板材の雌ねじ部と螺合させてガラス板を締め付け、水平目地より上部側の相隣る２枚のガラス板の突き合わせコーナー部の両下端面に跨って緩衝材を介して当接支持するガラス受部材を前記裏面板材の水平目地部位置に設けたことを特徴とする請求項２記載のガラス板の支持構造。
【請求項４】
前記並設したガラス板のコーナー部の両面より挟持する板状材のボルトがガラス板に当接しないように、コーナー部の一部に切欠部を設けたことを特徴とする請求項２または３のいずれかに記載のガラス板の支持構造。
【請求項５】
前記ガラス板の各隅部に設けた穿孔部を緩衝材を介してボルトとナットで螺合締付する締付具を、目地部に設けたＸ字状、Ｈ字状、Ｖ字状、Ｉ字状等の支持金具によって突き合わせコーナー部を同時に支持するようにしたことを特徴とする請求項１記載のガラス板の支持構造。
【発明の詳細な説明】
【０００１】
【発明の属する技術分野】
本発明は、ガラス板のコーナー穿孔部またはコーナー目地部を支持金具で締付挟持して支持するガラス板の支持構造に関する。
【０００２】
【従来の技術】
ガラス板の取付工法としては、各種の工法が知られており、並設した複数枚の面ガラスの縦目地部にリブガラスを立設させたガラスリブ工法、あるいは、サッシフレームを表に出さず構造用シーリング材でガラスを接着固定するＳＳＧ工法等の他、フレ−ムレスなガラススクリ−ンを構成する工法としては、ガラス板の四隅に設けた穿孔部を支持金具で支持する点支持工法や、ガラス板間の縦横の目地部を利用してガラス板を金具で挟持して支持する点支持工法等が現在良く知られており、近年注目されている。
【０００３】
前記ガラスに孔明けするタイプの点支持工法は、ガラス板の四隅部に穿設部を設け、立設する構造支柱等に固着のロッド等にＸ字状やＨ字状に延びるアームを備えた支持金具を取り付け、該アーム先端に設けた支持部材によってガラス板のコーナー部を支持するものである。
【０００４】
また、ガラス板の四隅部に孔を明けないでガラス板を支持する構造として、例えば、特開平９−３１７０７２号公報に示されるものでは、面一に上下左右に配設された４枚の矩形の板状部材のなす十字目地部の上側の左右の板状部材を、支持棒を介在させて外部支持部材及び内部支持部材により挟持して支持する板状部材支持構造において、上側の左右の板状部材は、上記十字目地部の近傍において、それぞれ別々の支持棒により、それぞれ別々の載置部材を介在させて支持されており、かつ載置部材は外部支持部材に対して回動可能に取り付けられている板状部材支持構造が開示されている。
【０００５】
【発明が解決しようとする課題】
前記リブガラス板を用いてガラススクリーンを形成する場合においては、通常ガラス板１枚分の高さまでに限定され、ガラス板を横方向に並設するのみであったので、大面積のガラススクリーンを形成するのは困難であった。
【０００６】
また、前記ガラスの隅部に孔明けするタイプの点支持工法では、ガラス板を縦横に複数枚並設できるので、大面積のガラススクリーンを形成できるが、ガラス板の四隅に精度良く孔明け加工を必要とするものであった。
【０００７】
一方、ガラス板に穴を明けないタイプの点支持工法として、特開平９−３１７０７２号公報に示されるものは、４枚のガラスの隅部の突き合わせ部分である十字状の目地部に金物を設け、十字状の目地部の上側２枚のガラスの下辺を金物のボルト状部分で支持するものであって、ガラス板は四ふっ化エチレン樹脂（ＰＴＦＥ、商品名、テフロン）等の樹脂製のワッシャーで上下左右にスライド移動自在であり、ガラス板を両端隅部の支持金物によって支持するだけであるので、ガラス板の落下防止や面外方向からの風圧荷重を防ぐために支持金物はそれぞれすべて自立する構造支柱に連結せざるを得ず、ガラス板の縦目地位置のすべてに構造支柱を立設しなければならず、美観を損なうものであった。
【０００８】
【課題を解決するための手段】
本発明は、上記問題点の解決を図る、すなわち大面積のガラススクリーンを形成することができ、ガラス板の支持を確実とし、ガラス板の自重や面外方向の荷重等に対しても強度を低下させることがなく、また、立設する構造支柱の数を少なくして美観を損なわないようにしたガラス板の支持構造の提供を目的とするものである。
【０００９】
すなわち本発明は、立設する複数枚のガラス板を上下左右に並設し、該ガラス板のコーナー突合わせ部を両面より支持金具によって締付支持する支持構造において、並設した面ガラスの垂直目地部の室内側に立設した構造支柱に設けた突設部材によって、ガラス板のコーナー部に設けた支持金具を支持固定し、前記構造支柱に固着した取付部材に軸支した連結部材によって、面ガラスの水平方向目地に沿って両方向に面ガラスと略同一幅に設けたリブガラス板を位置調整自在に連結支持し、該リブガラス板の反構造支柱側の先端部に軸支し、該先端部に近接する面ガラス用の支持金具間を連結する支持桿と、前記リブガラスの上下位置にある各先端部同士を連結するバランスロッドと、該バランスロッドと面ガラス間に配置され上下位置関係にある支持金具同士を夫々吊下ロッドにて連結固定し、前記バランスロッドと吊下ロッドを上部及び下部のフレームによって支持固定したことを特徴とするガラス板の支持構造である。
【００１０】
あるいは本発明は、前記並設したガラス板のコーナー部の十字状目地部を支持する支持構造が、目地幅より幅広の前面板材と裏面板材によってガラス板の両面より緩衝材を介して挟持し、目地に挿入したボルトとナットの螺合によって両板材を締付固定させたことを特徴とする上述のガラス板の支持構造である。
【００１１】
あるいはまた、本発明は、上述の前面板材が目地幅より幅広で、該前面板材の目地側の面に雌ねじ部を有する突起部を有し、裏面板材に設けた穿孔部より挿入したボルトを前面板材の雌ねじ部と螺合させてガラス板を締め付け、水平目地より上部側の相隣る２枚のガラス板の突き合わせコーナー部の両下端面に跨って緩衝材を介して当接支持するガラス受部材を前記裏面板材の水平目地部位置に設けたことを特徴とする上述のガラス板の支持構造である。
【００１２】
あるいはまた、本発明は、前記並設したガラス板のコーナー部の両面より挟持する板状材のボルトがガラス板に当接しないように、コーナー部の一部に切欠部を設けたことを特徴とする上述のガラス板の支持構造である。
【００１３】
あるいはさらに、本発明は、前記ガラス板の各隅部に設けた穿孔部を緩衝材を介してボルトとナットで螺合締付する締付具を、目地部に設けたＸ字状、Ｈ字状、Ｖ字状、Ｉ字状等の支持金具によって突き合わせコーナー部を同時に支持するようにしたことを特徴とする上述のガラス板の支持構造である。
【００１４】
【発明の実施の形態】
図１、図５に示すように、立設する複数枚のガラス板Ｇ、Ｇ・・を上下左右に並設し、該ガラス板Ｇ、Ｇ・・の垂直目地部１２の室内側には所定の間隔をおいて構造支柱２０を立設する。
【００１５】
複数本の構造支柱２０、２０・・の上端間は上部フレーム６１によって連結固定する。
【００１６】
該構造支柱２０の側面には剛性の突設部材２１が設けられており、該突設部材２１の先端が前記並設したガラス板Ｇ、Ｇ・・の十字状の目地１２位置となるように配設されており、面ガラスＧのコーナー突き合わせ両面より締付挟持する支持金具１に連結固定されている。
【００１７】
また、図１に示すように、前記構造支柱２０の突設部材２１近傍に固着した取付部材２２に軸支した連結部材２３、２３によって、面ガラスＧの水平方向の目地１２に沿って構造支柱２０を中心として左右両方向に面ガラスＧの幅と略同一幅のリブガラス板３０、３０を位置や角度を調整自在に連結し、水平姿勢で支持する。
【００１８】
前記リブガラス板３０、３０の反構造支柱２０側の先端部に設けた穿孔部３１に、支持桿４２を軸支し、該穿孔部３１に最も近接した位置にある面ガラスＧ、Ｇの目地部１２に設けた支持金具１間を前記支持桿４２で連結させる。
【００１９】
また、図２に示すように、前記リブガラス板３０の上下位置関係にある同じくリブガラス板３０の先端部同士は接続金具４１、接続部材４７等の螺合によってバランスロッド４０で連結され、最上段位置のバランスロッド４０の上端側は上部フレーム６１によって吊り下げ固定され、最下段位置のバランスロッド４０の下端側は下部フレーム６２に取付固定され、それぞれ接続金具４１の螺合調整等によって所定の張力が付与されている。
【００２０】
図２に示すように、前記リブガラス板３０の両端に設けた穿孔部３１、３１・・には、該穿孔部３１の片面側よりリブガラス支持ボルト４３を挿通し、裏面側よりリブガラス支持ナット４４を螺合させて締付挟持させている。該リブガラス支持ボルト４３の中心には雌ねじ部を設け、該雌ねじ部に両端ボルト４６を螺合させ、両端ボルト４６の先端がリブガラス支持ボルト４３の上下より突出している。
【００２１】
上側に突出している両端ボルト４６の先端は、円筒状の接続部材４７の雌ねじ部と螺合させた。
【００２２】
また、両端ボルト４６とリブガラス支持ボルト４３の雌ねじ部との螺合の緩み防止としてナット４５をリブガラス支持ボルト４３に当接するように螺着させている。
【００２３】
さらに、前記バランスロッド４０の下端の雄ねじ部は接続金具４１の雌ねじ部と螺合させ、接続金具４１の下端に設けた切り欠き溝内に接続部材４７の板状部を挿入して、孔部４９に挿入したピンによる結合によって軸支させ傾動自在とした。
【００２４】
さらにまた、リブガラス支持ボルト４３より下側に突出している両端ボルト４６の先端は、前述の支持桿４２の筒状部４２ａ内で螺合連結させる。
【００２５】
該筒状部４２ａの下方に位置する板状部はバランスロッド４０と接続した接続金具４１の上端側の切り欠き溝内に挿入後、孔部４８内に挿入したピンによる結合によってバランスロッド４０側と軸支し、吊下げるようにした。
【００２６】
面ガラスＧの目地部１２を挟持して支持する支持金具１の裏面には吊下ロッド取付部材６が固設されており、目地部１２に上下一列に配置された支持金具１に固着された吊下ロッド取付部材６、６同士は、接続金具５１、５１の螺合によって吊下ロッド５０で連結され、最上段位置の吊下ロッド５０の上端側は上部フレーム６１によって吊り下げ固定され、最下段位置の吊下ロッド５０の下端側は下部フレーム６２に取付固定され、それぞれ前記接続金具５１の螺合調整等によって所定の張力が付与されている。
【００２７】
図５、図６に示すように、立設した複数枚のガラス板Ｇ、Ｇ・・を上下左右に並設し、該ガラス板Ｇ、Ｇ・・の最上段のガラスＧ、Ｇ・・の上辺を上部フレーム６１に固設した上部枠６１ａ内に呑み込ませ、さらに、最下段の面ガラスＧ、Ｇ・・の下辺を下部フレーム６２に固設した下部枠６２ａにて支持固定し、各面ガラス板Ｇの荷重は面ガラス板Ｇの下辺コーナー部に設けた支持金具１によって支持させている。
【００２８】
前記ガラス板Ｇのコーナー部の十字状目地部１２を締付挟持する支持金具１としては、該ガラス板Ｇのコーナー部に孔を明けないようにして、締付挟持するものであり、目地幅より幅広の前面板材２と裏面板材４によってガラス板Ｇの両面より緩衝材９、９を介して挟持し、縦目地あるいは横目地に挿入したボルト８とナットの螺合によって両板材を締付固定させるようにするものである。
【００２９】
前記支持金具１について、以下、図３、図４に示すように詳細に説明する。
【００３０】
前記前面板材２としては、縦および横の目地１２の幅より幅広の板状材である前面板材２の目地側面に複数個の突起部３、３・・を設け、該突起部３内にはそれぞれ雌ねじ部３ａを有している。また、該突起部３は目地１２内を貫通してガラス板Ｇの裏面側まで到達している。
【００３１】
一方、裏面板材４に設けた穿孔部５の裏面側より挿入したボルト８は、前記前面板材２の雌ねじ部３ａと螺合することにより、前面板材２と裏面板材４とで緩衝材９を介してガラス板Ｇを締め付けることができる。
【００３２】
また、水平目地より上部側に位置し、相隣る２枚のガラス板Ｇ、Ｇの突き合わせコーナー部の両下端に跨ってガラス受け部材７を設けて目地１２より上方の２枚のガラス板Ｇ、Ｇの荷重を支持するが、ガラス受け部材７とガラス板Ｇ、Ｇの端面との当接部分には緩衝材としてバッカー１０を設けた。
【００３３】
前記並設したガラス板Ｇのコーナー部を締付支持する支持金具１を固定するボルトがガラス板Ｇに当接しないように、つまり支持金具１の突起部３の位置に合わせて、必要があれば図３に示すように、コーナー部を斜めにカットした切欠部１１を設けるようにしても良い。
【００３４】
また、縦横に並設したガラス板Ｇを支持する支持金具１としては、以上に説明したようにガラス板Ｇのコーナー部に孔を明けずに目地部１２に挿入したボルトとナットを螺合させるようにしたが、目地部１２に挿入するボルトに代えて、図示しないがガラス板のコーナー部に穿孔部を設け、該穿孔部に挿入したボルトと裏面側からのナットを緩衝材を介して螺合させた締付具を、裏面側の十字状の目地部に設けたＸ字状、Ｈ字状、Ｖ字状、Ｉ字状等の支持金具の中心より放射状に延びるアームの先端に取り付け、突き合わせコーナー部に設けた締付具を同時に支持するようにしたものであっても良い。
【００３５】
このようにして形成されたガラススクリーン６０の作用について以下に説明する。
【００３６】
図５、図６に示すように、最上段の吊下ロッド５０は、上部フレーム６１に吊り下げられ、２番目、３番目の吊下ロッド５０、５０とは吊下ロッド取付部６、６を介して連結され、最下段の吊下ロッド５０の下端は下部フレーム６２に固定された下部枠６２ａにて支持されている。
【００３７】
またガラス板Ｇ、Ｇ・・の最上段のガラスＧ、Ｇ・・の上辺は上部フレーム６１に固設した上部枠６１ａに呑み込み状態となっており、さらに、最下段の面ガラスＧ、Ｇ・・の下辺を下部フレーム６２に固設した下部枠６２ａにて支持固定されているが、面ガラス板Ｇの荷重は、前記上部フレーム６１によって吊り下げられている吊下ロッド５０によって面ガラス板Ｇの下辺コーナー部に設けた支持金具１によって支持されている。
【００３８】
さらに、図３、図４に示すように、面ガラス板Ｇの下端コーナー部は、支持金具１のガラス受け部材７上に緩衝材１０を介して載置されるようにして支持されると共に締め付け挟持されているので、ガラス板Ｇの荷重は支持金具１を介して吊下ロッド５０によって支持されることになる。
【００３９】
さらにまた、図２に示すように、ガラス板Ｇは吊下ロッド取付部６の側部に固着した支持金具１にて支持されているので、ガラス板Ｇの荷重中心と吊下ロッド５０の中心とは、水平方向に若干離れた状態となっており、ガラス板Ｇの自重によりガラス板Ｇの上部側が外側方向に、ガラス板Ｇの下部側が内側に傾こうというモーメント力が働く。このモーメント力を打ち消すために、吊下ロッド５０の内側にバランスロッド４０を配置し、吊下ロッド取付部６とバランスロッド４０の接続部４２ａとを剛性の支持桿４２によって連結した。
【００４０】
このように、ガラス板Ｇの自重は吊下ロッド５０にて支持し、ガラス板Ｇに前傾姿勢を与えるモーメントは吊下ロッド５０と支持桿４２で連結したバランスロッド４０の長さ調整をすることによって防ぐことができる。
【００４１】
また、ガラススクリーン６０に面外方向から加えられる荷重のうち、高さ方向については、前記吊下ロッドとバランスロッドによって高さ方向のガラス板の変位を吸収し、水平方向の変位に対しては構造支柱２０とバランスロッド４０間で水平方向の目地に沿って設けられたリブガラス板３０によって受けることができる。
【００４２】
また、ガラス板Ｇ、Ｇの突き合わせ目地部１２に充填したシリコンシーラントと、該目地部１２に配設した支持金具１とガラスＧ、Ｇ板間に介在する緩衝材９、９とガラス板Ｇとを密着させているので雨水の室内への浸入を阻止できる。
【００４３】
ガラス板Ｇの前面側と支持金具１の前面板材２間、及びガラス板Ｇの裏面側と支持金具１の裏面板材４間に設ける緩衝材９、９については、前面板材２、裏面板材４の外形より若干小サイズとして、前面板材２、裏面板材４とガラス板Ｇ間にシリコンシーラント等のシーリング材を充填するようにしても良い。
【００４４】
前記緩衝材９としては屋外で使用する場合には、ＥＰＤＭ製、ネオプレンゴム、シリコンゴム、バイトンゴム、ウレタンゴム等の耐候性の良い弾性体とするが、屋内で使用する場合には、これに限らない。
【００４５】
また、支持金具１はＳＵＳ等の錆びない金属が望ましいが、防錆塗装処理やメッキ等の処理をしたＳＳ材でも良い。
【００４６】
尚、ガラス板Ｇとは強化ガラス、半強化ガラス、未強化ガラスのいずれか、あるいはこれらを組み合わせてＰＶＢやＥＶＡ等の中間膜または樹脂注入で接着した合わせガラス、あるいはまた、前記のガラスに飛散防止樹脂膜を貼着したもの等が対象となる。
【００４７】
以上好適な実施の形態について述べたが、本発明はこれに限定されるものではなく種々の応用が考えられるものである。
【００４８】
本発明のガラススクリーン６０は、図７に示すような湾曲したガラススクリーン６０としても良く、またフラットな形状のガラススクリーンとしても勿論良い。
【００４９】
また、本発明は屋外用だけでなく室内の間仕切り用としても当然使用することができる。
【００５０】
さらに本発明によれば、ガラス板Ｇに孔を明けないで、コーナー目地部の支持により、縦辺の長さが数メートルにも及ぶガラス板であっても、確実に支持でき、フレームレスで開放的な空間を形成できるものであるが、ガラス板のコーナー部に設けた穿孔部をボルトとナットで締め付け支持するケースにおいても応用できる。
【００５１】
本発明のガラス支持構造からなるガラススクリーン６０の一実施例を図７に示すが、これに限定されるものではない。
【００５２】
これは、円周方向にガラス板Ｇを並設した自立状の円筒形状の建物であり、ガラス板Ｇの円周方向に所定の枚数毎、例えば３枚毎の縦目地部に構造支柱２０を設けたものであり、ガラス板Ｇの内側の構造支柱２０のそれぞれより両側方向に面ガラスＧと略同一幅のリブガラス板３０が水平に設けられているものである。
【００５３】
面ガラス板Ｇは、例えば、縦約３，２００ｍｍ×横約２，２００ｍｍ、板厚８ｍｍの湾曲したフロートガラス板２枚をＰＶＢ膜で接着し、重ね合わせた曲げ合わせガラスとし、これを複数枚用意した。
【００５４】
また、リブガラス板としては、幅約２，０００ｍｍ×奥行約２００〜４５０ｍｍの略台形状で、板厚１２ｍｍの強化ガラス板２枚をＰＶＢ膜で接着し、重ね合わせた合わせガラスとした。
【００５５】
ガラス板Ｇ、Ｇ同士を突き合わせた目地部１２の間隔は例えば１２ｍｍで、支持金具１の前面板３ａ、裏面板材４は縦４０〜６０ｍｍ、横８０〜１２０ｍｍの楕円形状、または矩形状とした。
【００５６】
このように、本発明によれば、高さ方向にガラス板を数段重ねても、ガラス板の荷重は吊下ロッドによって支持され、各ガラス板を吊下ロッドで支持したときにガラス板の自重によって前傾姿勢となるモーメント力の発生に対して、吊下ロッドの背後に設けたバランスロッドによって発生させないようにすることができる。
【００５７】
また、面外方向からの風圧等の荷重に対して、吊下ロッドとバランスロッドによって高さ方向のガラス板の変位を吸収し、水平方向にガラスリブを用いたことによって、水平方向のガラス板の変位を防止し、ガラススクリーンとして開放的な空間が得られる。
【００５８】
【発明の効果】
本発明によれば、ガラス板のコーナー部に孔明け無しで取り付けた支持金具によって、上下左右にガラス板を並設して大面積のガラススクリーンを形成することができ、ガラス板を確実に支持することが可能であり、吊下ロッドとバランスロッドによってガラス板の自重や面外方向の荷重等に対しても強度を低下させることがなく、また、間隔をおいて立設した構造支柱と水平方向に設けたリブガラス板によって、立設する構造支柱の数を減少させたことによって美観を損なわないようにすることができる。
【００５９】
また、ガラス板のコーナー部に孔明けして取り付けた支持金具によって支持する構造であっても、対応可能な支持構造である。
【図面の簡単な説明】
【図１】本発明の実施例の支持構造の要部を拡大した部分平面図。
【図２】本発明の実施例の支持構造の要部を拡大した部分縦断面図。
【図３】本発明の実施例の支持構造の要部を拡大した部分正面図。
【図４】本発明の実施例の支持金具の斜視図。
【図５】本発明の実施例の支持構造の正面図。
【図６】本発明の実施例の支持構造の側面図。
【図７】本発明の実施例の全体平面図。
【符号の説明】
Ｇ            ガラス板（面ガラス）
１            支持金具
２            前面板材
３            突起部
３ａ          雌ねじ部
４            裏面板材
５            穿孔部
６            吊下ロッド取付部
７            ガラス受け部材
８            ボルト
９            緩衝材
１０            緩衝材（バッカー）
１１            切欠部
１２            目地部
２０            構造支柱
２１            突設部材
２２            取付部材
２３            連結部材
３０            リブガラス板
３１            穿孔部
４０            バランスロッド
４１            接続部材
４２            支持桿
４２ａ          接続部
４５            ナット
４６            両端ボルト
４７            接続部材
５０            吊下ロッド
５１            接続金具
６０            ガラススクリーン
６１            上部フレーム
６２            下部フレーム
【図１】
0003652579.tif 000002
【図２】
0003652579.tif 000003
【図３】
0003652579.tif 000004
【図４】
0003652579.tif 000005
【図５】
0003652579.tif 000006
【図６】
0003652579.tif 000007
【図７】
0003652579.tif 000008